(57)【要約】【課題】幅が狭い溝入れ加工を行うことが可能でありながらも、インサート取付座への固定性が高い切削インサートを提供する。【解決手段】  本発明は、インサート体部６と複数の突出部７と取付穴５と、を備える切削インサート１である。突出部７は、体部上面８側に配置された突出部上面１１と、体部下面９側に配置された突出部下面１２と、各々が対応する体部側面１０につながる２つの突出部側面１３と、これらの間に延在する突出部側端面１４とを有し、突出部上面１１と突出部側端面１４との間にはコーナＲ面１５が形成されている。切れ刃１６は、コーナＲ面１５の縁部に沿って形成されるコーナを有すると共に、突出部側面１３がすくい面となるように、突出部上面１１、コーナＲ面１５及び突出部側端面１４と、突出部側面１３との交差稜線部に沿って形成されている。体部下面９は、突出部下面１２よりも体部上面８側に近接した位置にある。【選択図】図１
2016187836.tif 000002
【特許請求の範囲】
【請求項１】
インサート体部（６）であって、体部上面（８）と、該体部上面（８）に対向して配置された体部下面（９）と、該体部上面（８）と該体部下面（９）との間に延在する体部側面（１３）とを備え、該体部上面（８）及び該体部下面（９）を通過する軸線（Ａ）が定められる、インサート体部（６）と、
複数の突出部（７）であって、各々が切れ刃（１６）を有して、各々が前記軸線（Ａ）に直交する方向における前記インサート体部（６）の外側位置に該インサート体部（６）と一体的に設けられた、複数の突出部（７）と、
前記体部上面（８）と前記体部下面（９）とを貫通する取付穴（５）と、
を備え、
前記突出部（７）は、前記体部上面（８）側に配置された突出部上面（１１）と、前記体部下面（９）側に配置された突出部下面（１２）と、各々が対応する体部側面（１０）につながる２つの突出部側面（１３）と、これらの間に延在する突出部側端面（１４）とを有し、該突出部（７）には、該突出部上面（１１）と該突出部側端面（１４）との間に延在するコーナＲ面（１５）が形成され、
前記切れ刃（１６）は、前記コーナＲ面（１５）の縁部に沿って形成されるコーナを有すると共に、前記突出部側面（１３）がすくい面となるように、前記突出部上面（１１）、前記コーナＲ面（１５）及び前記突出部側端面（１４）と、前記突出部側面（１３）との交差稜線部に沿って形成され、
前記体部下面（９）は、前記突出部下面（１２）よりも前記体部上面（８）側に近接した位置にある、
切削インサート（１）。
【請求項２】
前記体部上面（８）と前記突出部上面（１１）とは、段差なく接続していることを特徴とする請求項１に記載の切削インサート（１）
【請求項３】
前記体部上面（８）と前記体部側面（１０）との交差稜線部分には、凹部（１７）が形成されていることを特徴とする請求項１又は２に記載の切削インサート（１）。
【請求項４】
前記突出部（７）は、前記インサート体部（６）の前記体部上面（８）を多角形の形状とみなしたとき、該多角形の頂部に位置するように形成されていることを特徴とする請求項１から３のいずれかに記載の切削インサート（１）。
【請求項５】
前記体部上面（８）は、略三角形状をなしていることを特徴とする請求項４に記載の切削インサート（１）。
【請求項６】
少なくとも１つのインサート取付座（２６）を有する工具ボデー（２１）と、該インサート取付座（２６）に装着された少なくとも１つの切削インサートと、を備える切削工具（２０）であって、
前記切削インサートは、請求項１から５のいずれかに記載の切削インサート（１）であることを特徴とする切削工具（２０）。
【請求項７】
前記インサート取付座（２６）は、前記切削インサート（１）の前記体部側面（１０）と、前記体部下面（９）又は前記突出部下面（１２）のいずれか一方と、のみ接触することを特徴とする請求項６に記載の切削工具（２０）。
【請求項８】
前記インサート取付座（２６）は、底面（２７）と、該底面（２７）に略直角をなす側面（２８）とを備え、
前記底面（２７）は、前記切削インサート（１）を固定するためのねじ穴（３０）が形成された第１底面（２７ａ）と、該第１底面（２７ａ）よりも凹陥した位置に形成されている第２底面（２７ｂ）と、から構成され、且つ該第２底面（２７ｂ）は、該切削インサート（１）の前記突出部（７）の位置と対応するように設けられており、
前記側面（２８）は、前記第１底面（２７ａ）に接続している第１側面（２８ａ）と、前記第２底面（２７ｂ）に接続している第２側面（２８ｂ）と、から構成されている、
ことを特徴とする請求項６又は７に記載の切削工具（２０）。
【発明の詳細な説明】
【技術分野】
【０００１】
本発明は、切削インサートと、それが装着される刃先交換式切削工具とに関する。より詳細には、本発明は、溝加工を行うために使用される縦置きタイプの切削インサートと、その切削インサートが着脱自在に装着されるサイドカッタとに関する。
【背景技術】
【０００２】
従来、溝加工を行うための切削工具として、刃先交換式のサイドカッタがある。そのようなサイドカッタの一例が、特許文献１に開示されている。特許文献１に記載のサイドカッタに使用される切削インサートは、略多角形状の外郭を有する上面と、上面と略一致する外郭を有する下面と、上面と下面とを接続する側面と、から構成される縦置きタイプである。上面及び下面は、平面視にて、略多角形状外郭のそれぞれの頂部又は側面から外方側に突出するように形成された３つの突出部を有している。突出部の上面と端面との交差稜線にはコーナＲ面が形成されており、コーナＲ面が形成されている交差稜線の長さは、平面視にて、突出部を除いた切削インサート体部の内接円の直径よりも短い。
【０００３】
このような構成によって、特許文献１に記載の切削インサートにおいては、切削インサート全体のサイズを小さくすることなく、コーナＲ面が形成される交差稜線部の長さを著しく短くすることができる。したがって、切削インサートの強度を低下させることなく、負の径方向のすくい角を小さくすることが可能である。さらには、交差稜線部に設けられるコーナの曲率半径の大きさに制限がないため、溝に形成したい隅Ｒに対応したコーナの曲率半径を自由に設定することができる利点も有している。
【先行技術文献】
【特許文献】
【０００４】
【特許文献１】国際公開第２０１２／１７３２５５号パンフレット
【発明の概要】
【発明が解決しようとする課題】
【０００５】
ところで、溝加工においては、目的に応じて様々な大きさの幅の溝を形成することが必要とされている。特に、昨今においては、溝幅が６ｍｍ以下の非常に狭い幅の溝を形成することが可能な工具が求められている。
【０００６】
ここで、特許文献１に記載の切削インサートをそのままの外郭形状で、より溝幅の狭い溝入れ加工（具体的には、溝幅が６ｍｍ以下）に適用するためには、溝幅に応じて切削インサートの厚さを薄くする必要がある。特許文献１の切削インサートは縦置きであるため、それをサイドカッタに装着したとき、サイドカッタの外周面に位置する切れ刃（つまり、溝の底部を切削する切れ刃）の長さは切削インサートの厚さとほぼ同一である。よって、一定の切れ刃長を確保するためには、切削インサートに関して一定の厚さを保持しなくてはならない。すなわち、切削インサートをサイドカッタの両端面に千鳥状に装着して溝加工を行う場合を考えると、切れ刃長は少なくとも加工する溝幅の半分より大きな長さである必要がある。したがって、切削インサート自体も、加工する溝幅の半分より大きな長さ、つまりはサイドカッタの幅の半分より大きな厚さを少なくとも必要とするのである。そのため、サイドカッタにおける切削インサートが装着される箇所（インサート取付座）の厚さは、加工する溝幅の半分よりも薄くなってしまう。例えば、溝幅が６ｍｍの場合、サイドカッタのインサート取付座は最大の厚さでも３ｍｍに満たない薄さになる。このように、インサート取付座の厚さが著しく薄くなってしまうと、取付ねじによって切削インサートをインサート取付座に装着するとき、インサート取付座における取付ねじの「かかり部分」（すなわち、ねじ穴長）が短くなりすぎて、切削インサートの固定力が顕著に弱くなる。さらに、取付ねじの先端がねじ穴から突出することは許容されないため、取付ねじの「かかり部分」はねじ穴長よりもさらに短くなるので、切削インサートの固定力は一層弱くなる。そのため、加工中において切削インサートがずれ動いてしまい、切れ刃の欠損などの原因となったりする。また、インサート取付座の厚さが薄すぎるためにサイドカッタ自体の剛性が低下するという問題も生じる。工具自体の剛性低下は、びびり発生の大きな原因となる。
【０００７】
本発明は、以上の課題に鑑みてなされたものであり、幅が狭い溝加工を行うことが可能でありながらも、インサート取付座への固定性が高い切削インサート及びそれを装着した切削工具を提供することを目的とする。
【課題を解決するための手段】
【０００８】
本発明は、体部上面８と、体部上面８に対向して配置された体部下面９と、体部上面８と体部下面９との間に延在する体部側面１３とを備え、体部上面８及び体部下面９を通過する軸線Ａが定められる、インサート体部６と、各々が切れ刃１６を有して、各々が軸線Ａに直交する方向におけるインサート体部６の外側位置にインサート体部６と一体的に設けられた、複数の突出部７と、体部上面８と体部下面９とを貫通する取付穴５と、を備え、突出部７は、体部上面８側に配置された突出部上面１１と、体部下面９側に配置された突出部下面１２と、各々が対応する体部側面１０につながる２つの突出部側面１３と、これらの間に延在する突出部側端面１４とを有し、突出部７には、突出部上面１１と突出部側端面１４との間に延在するコーナＲ面１５が形成され、切れ刃１６は、コーナＲ面１５の縁部に沿って形成されるコーナを有すると共に、突出部側面１３がすくい面となるように、突出部上面１１、コーナＲ面１５及び突出部側端面１４と、突出部側面１３との交差稜線部に沿って形成され、体部下面９は、突出部下面１２よりも体部上面８側に近接した位置にある、切削インサート１である。
【０００９】
さらに、本発明は、少なくとも１つのインサート取付座２６を有する工具ボデー２１と、インサート取付座２６に装着された少なくとも１つの切削インサートと、を備える切削工具２０であって、この切削インサートは前述の切削インサート１であることを特徴とする。
【発明の効果】
【００１０】
本発明によると、インサート体部が突出部よりも薄く構成されているので、工具ボデーにおける取付ねじの「かかり部分」を長く確保することができる。そのため、特許文献１の切削インサートより薄い切削インサートの場合においても、工具ボデーに対する切削インサート固定性の低下を大きく抑制することが可能となる。したがって、切削インサート固定性の低下に起因するびびりや切れ刃の破損等を顕著に減少させることができる。
【図面の簡単な説明】
【００１１】
【図１】本発明の切削インサートの一実施形態の上面側斜視図を示す。
【図２】図１の切削インサートの上面図を示す。
【図３】図１の切削インサートの下面側斜視図を示す。
【図４】図２におけるＩＶ−ＩＶ断面図を示す。
【図５】図１の切削インサートを装着した刃先交換式切削工具の一実施形態の斜視図を示す。
【図６】図５の工具ボデーの斜視図を示す。
【図７】図５の工具ボデーのインサート取付座付近の拡大斜視図を示す。
【図８】図７のインサート取付座に切削インサートが装着された状態の斜視図を示す。
【発明を実施するための形態】
【００１２】
以下、本発明の実施形態について図面を参照しながら詳細に説明する。
【００１３】
本実施形態の切削インサート１は、図１から図４に示されているように、対向する又は互いに対して反対側に位置する上面２及び下面３と、それらの間に延在する周側面４とを備える。上面２及び下面３は略平行である。切削インサート１には、上面２及び下面３を通過する軸線Ａが定められ、この軸線Ａ周りに実質的に１２０°回転対称に形づくられている。軸線Ａに一致する中心軸線Ａを有する取付穴５が、上面１及び下面２を貫通するように形成されている。
【００１４】
この切削インサート１は、インサート体部６と、このインサート体部６と一体的に設けられた３つの突出部７とを備える。インサート体部６は、体部上面８と、体部下面９と、これらの間に延在する３つの体部側面１０とを備える。体部上面８と体部下面９とは対向し且つ互いに対して反対側に位置づけられ、略平行である。３つの体部側面１０のうちの任意の２つの側面間に、１つの突出部７が配置されている。なお、切削インサート１から３つの突出部７を除いた部分が、インサート体部６と定義されることができる。
【００１５】
軸線Ａつまり取付穴５の中心軸線周りに１２０°回転対称形状を実質的に有するようにインサート体部６は設計されている。同様に、この軸線Ａ周りに回転対称な位置に３つの突出部７は配置されている。このように、切削インサート１は、実質的に、軸線Ａ周りに１２０°回転対称な形状を有するように形成されている。
【００１６】
インサート体部６の体部上面８を略三角形状又は三角形状とみなしたとき、その体部上面８の三角形の頂部に位置するように、３つの突出部７はそれぞれ位置づけられている。突出部７は、軸線Ａに直交する方向におけるインサート体部６の外側位置に設けられている。つまり、突出部７は、インサート体部６から外側方向に突出する又は延出するように設けられている。
【００１７】
３つの突出部７は実質的に同じ構成を有する。そこで、特に断らない限り、以下では任意の１つの突出部７が説明される。
【００１８】
突出部７は、軸線Ａに直交する方向におけるインサート体部６の外側位置に設けられている。突出部７は、略直方体形状を有する。具体的には、突出部７は、体部上面８につながる突出部上面１１と、体部下面９から一定距離ほど突き出している突出部下面１２と、各々が対応する体部側面１０につながる２つの突出部側面１３と、これらの間に延在する突出部側端面１４とを有している。さらに、突出部７には、２つの突出部側面１３の一方から他方にまで、突出部上面１１と突出部側端面１４との間に延在するコーナＲ面（コーナ湾曲面）１５が形成されている。
【００１９】
本実施形態においては、突出部上面１１は体部上面８と実質的に同一平面上に形成されているのであるが、図４の断面図に明らかなように、突出部下面１２は体部下面９よりも軸線Ａに平行な方向へ一段突き出している。すなわち、突出部上面１１は体部上面８と実質的に同一平面上にある一方、突出部下面１２は体部下面９よりも突出部上面１１側に近接した位置に形成されている。別の表現をするならば、インサート体部６は、突出部７よりも下面側が薄くなるように形成されているとも言える。また、本実施形態において、突出部７は全体的に同一の厚さを有するように形成されているが、これに限定されることはなく、突出部側端面１４からインサート体部６の内方側へ離間するにつれ漸次厚さが薄くなっていき、最終的にはインサート体部６の厚さと同一となるように形成されていてもよい。あるいは、漸次厚さが薄くなるのではなく、段階的に厚さが薄くなるように形成されていてもよい。ここで、「実質的に」同一平面とあるとは、切削インサート１の側面視において、突出部上面１１は体部上面９に対して内角が１８０°未満になるように若干の角度をつけられて接続しているからである。このように、突出部上面１１と体部上面９とは一定の角度で接続する構成であってもよいし、完全に同一平面上にあってもよい。
【００２０】
図２に示すように、コーナＲ面１５のそれぞれの端部（コーナ）に関して、両端部をはさむ最大寸法のことをコーナＲ面１５の長さＬとする。このコーナＲ面１５の長さＬは、所定の範囲に定められている。また、インサート体部６の体部上面８には、図２に示すように、内接円ＩＣが定められることができる。コーナＲ面１５の長さＬは、この内接円ＩＣの直径よりも短い。したがって、インサート体部６のサイズに比較して、コーナＲ面１５の長さが十分に短くなる。また、コーナＲ面１５の長さＬは、突出部７の厚さ以上であることが好ましい。このようにすることで、突出部７の小型化を図りながら、突出部７の強度を好適に上げることが可能である。
【００２１】
１つの突出部７には、２つの切れ刃１６が形成されている。切れ刃１６は、コーナＲ面１５の縁部に沿って形成されるコーナを有すると共に突出部側面１３がすくい面となるように、突出部上面１１、コーナＲ面１５及び突出部側端面１４の各々と突出部側面１３との交差稜線部に沿って形成されている。なお、コーナの曲率又は曲率半径は、被削材に形成することが望まれる溝の隅湾曲面の大きさに合わせて適宜変更することが可能である。１つの突出部７における一方の切れ刃１６は右勝手の切れ刃であり、他方の切れ刃１６は左勝手の切れ刃である。したがって、切削インサート１では、３つの切れ刃１６が右勝手の切れ刃として使用されることができ、別の３つの切れ刃１６が左勝手の切れ刃として使用されることができる。このように、切削インサート１は、割り出し可能な切削インサートである。なお、右勝手の切れ刃とは、切削インサート１を刃先の方向、すなわち突出部側面１３に対向する方向から見て、突出部側端面１４を上側に見たときに、突出部上面１１が右側にある切れ刃のことであり、左勝手の切れ刃とは、切削インサート１を刃先の方向から見たときに左側にある切れ刃のことである。また、突出部上面１１と、突出部側端面１４と、コーナＲ面１５とが逃げ面となる。
【００２２】
また、本実施形態においては、体部上面８と体部側面１０との交差稜線部分に、その全長に沿って凹部１７が形成されている。すなわち、体部上面８と体部側面１０との交差稜線部分に沿ってインサート体部６の厚さが他の部分に比較して薄い構成を有している。本実施形態の切削インサート１において、この凹部１７は、図４に示されているように階段状に形成されているが、これに限定されることはなく、斜めに切り欠いた面取り等の他形状であっても構わない。
【００２３】
切削インサート１の切れ刃近傍は、超硬合金、コーティングされた超硬合金、サーメット、セラミック、又はダイヤモンドあるいは立方晶窒化硼素を含有する超高圧焼結体といった硬質材料から作製されることができる。
【００２４】
このような構成を有する切削インサート１は、図５に示すように、切削工具２０の工具ボデー２１に着脱自在に装着される。
【００２５】
工具ボデー２１は、図６に示されているように、２つの端面２２と、２つの端面２２間に延在する外周面２３と、２つの端面２２の中央を貫通するボア穴２４とから基本的に構成されている。２つの端面２２は、対向し、つまり互いに対して反対側に位置し、各々が略円形を有する。外周面２３には、切りくずポケット２５と、複数のインサート取付座２６とが形成されている。切りくずポケット２５は切りくずを好適に排出するように設けられている。インサート取付座２６は、対応する切りくずポケット２５に隣接して工具回転方向Ｋの後方側の外周面２３上に設けられている。また、インサート取付座２６は、工具ボデー２１の２つの端面２２のそれぞれにおいて交互に千鳥状に形成され、複数の切削インサート１は２つの端面２２のそれぞれにおいて交互に千鳥状に装着される。このとき、インサート取付座２６には、使用可能な切れ刃のコーナが外方に突出するように切削インサート１が縦置きで取り付けられる。切削インサート１が取り付けられたとき、切削インサート１の突出部７の突出部側端面１４が工具ボデー２１の外周面２３からわずかに突出し、かつ、突出部７のコーナＲ面１５が外側に位置づけられている。また、本実施形態においては、切削インサート１が、アキシャルレーキが−３°、ラジアルレーキが−７°で装着されるようにインサート取付座２６は構成されているが、アキシャルレーキ及びラジアルレーキの大きさはこれに限定されることはない。このようにアキシャルレーキ及びラジアルレーキが設定されることにより、切削インサート１には、工具径方向及び工具回転軸方向に対して正の逃げ角が設けられている。
【００２６】
インサート取付座２６は、図７の拡大図に示されているように、底面２７と、この底面２７に略直角をなす側面２８とを備える。底面２７は、切削インサート１を固定するための取付ねじ２９を螺入するためのねじ穴３０が形成された第１底面２７ａと、第１底面２７ａよりも低い位置（すなわち、第１底面２７ａよりも凹陥した位置）に形成されている第２底面２７ｂと、から構成されている。第２底面２７ｂは、切削インサート１の突出部７の位置関係と対応するように設けられている。また、側面２８は、第１底面２７ａに接続している第１側面２８ａと、第２底面２７ｂに接続している第２側面２８ｂと、から構成されている。
【００２７】
図８に示されているように、切削インサート１はインサート取付座２６に固定される。すなわち、切削インサート１の突出部７がインサート取付座２６の第２底面２７ｂに対応するように配置される。このとき、切削インサート１の体部側面１０とインサート取付座２６の第１側面２８ａとは接触しているが、突出部７は第２側面２８ｂと接触していない。すなわち、第２側面２８ｂは突出部側面１３及び突出部側端面１４とは接触しないように逃がされて形成されている。これによって、まだ使用されていない切れ刃６がインサート取付座２６と接触することによって損傷することが防止される。さらに、切削インサート１の突出部７の段差側面１８（図３及び図４を参照）は、インサート取付座２６の段差側面３１とは接触しない。すなわち、第１底面２７ａは、平面視にて、切削インサート１の突出部下面１２の外郭形状よりも切削インサート１の内側に形成されている。これによって、切削インサート１は、工具径方向において、２か所の第１側面２８ａのみと接触する、すなわち、２か所の第１側面２８ａのみによって支持されることになるので、切削インサート１又はインサート取付座２６に製造上の誤差等によって多少の歪み等が発生していても、がたつくことなく確実に固定される。また、本実施形態において、体部下面９は第１底面２７ａと接触しているが、突出部下面１２は第２底面２７ｂとは接触しない。すなわち、体部下面９と突出部下面１２との間の高さ方向の差分は、第１底面２７ａと第２底面２７ｂとの間の高さ方向の差分よりも小さくなるように構成されている。これによって、切削インサート１は工具軸線方向において、第１底面２７ａのみと接触する、すなわち、第１底面２７ａのみによって支持されることになるので、切削インサート１又はインサート取付座２６に製造上の誤差等によって多少の歪み等が発生していても、がたつくことなく確実に固定される。このように本実施形態では体部下面９のみで支持する構成となっているが、反対に、突出部下面１２のみで支持する構成も可能である（この場合、突出部下面１２は第２底面２７ｂと接触しているが、体部下面９は第１底面２７ａと接触していない）。すなわち、体部下面９と突出部下面１２のいずれか一方で支持することで、切削インサート１の固定性を向上させることができるのである。しかしながら、本発明は、体部下面９と第１底面２７ａの両方がインサート取付座２６に接触する形態を排除するのもではない。
【００２８】
以上に説明した切削インサート１及び切削工具２０による作用・効果について説明する。
【００２９】
本発明においては、体部下面９が突出部下面１２よりも体部上面８側に近接した位置に形成されているため、工具ボデー２１おける取付ねじ２９の「かかり部分」を長くとることが可能である。すなわち、切削インサート１においてインサート体部６のみが体部下面９側から薄く形成されているため、その薄くなった分だけ工具ボデー２１のインサート取付座２６の第１底面２７ａにあたる部分の厚さを大きくすることができる。したがって、第１底面２７ａにあたる部分の厚さが大きくなった分だけ、ねじ穴２７を深くすることができるので、取付ねじ２９の「かかり部分」を長く取れるのである。その結果、非常に狭い幅の溝加工を行うために切削インサートの全体の厚さを薄くしたとしても、取付ねじ２９の「かかり部分」を大きく確保することができるため、切削インサート１の固定性の低下が抑制されるという効果を得ることができる。このとき、突出部７については、切削インサート１の固定性の向上を目的として厚さを小さくする必要がないため、突出部側面１３と突出部側端面１４との交差稜線に形成されている切れ刃１６は、必要な長さが確保されている。したがって、切削インサート１を工具ボデー２１の両側面に千鳥状に装着して溝入れ加工を行うために必要とされる切れ刃長、すなわち、少なくとも加工する溝幅の半分より大きな長さ（工具ボデー２１の厚さの半分より大きな厚さ）は維持されたままである。
【００３０】
また、厚く形成された第１底面２７ａが側面２８の一部と接続していることによって、インサート取付座２６全体の剛性が向上するという効果がある。すなわち、厚く形成された第１底面２７ａが独立して設けられているのではなく、側面２８の一部と接続していることで、底面２８全体がねじれるような歪みに対して顕著に強くなるのである。特に、強度的に脆弱なねじ穴３０周辺の剛性を大きく向上させることができる。したがって、剛性が低いことに由来する工具ボデー２１自体の歪みによる切削インサート１の着座安定性の低下やびびりの発生を抑制する効果を得ることができるため、形成する溝の精度が向上する。このように、本発明は、インサート取付座の厚さが極端に薄い縦置きタイプの切削インサートを使用するサイドカッタにおいて特に大きな効果を発揮する。
【００３１】
また、切削インサート１においては、体部上面８と突出部上面１１とが実質的に同一平面上にあるのであるが、これに限定されることはなく、軸線Ａ方向で体部上面８が突出部上面１１よりも低くなるように（つまり、体部上面８と突出部上面１１との間に段差ができるように）形成されていてもよい。しかしながら、そのような段差があると、取付ねじ２９の「かかり部分」がその段差の分だけ小さくなってしまう、もしくは、インサート体部６がその段差の分だけ薄くなってしまう。したがって、取付ねじ２９の「かかり部分」及びインサート体部６の厚さを最大化するためには、体部上面８と突出部上面１１とは段差なく接続していることが好ましい。
【００３２】
さらに、インサート体部６において、体部上面８と体部側面１０との交差稜線部分には、その全長に沿って厚さ方向に凹陥した凹部１７を設けることが好ましい。なぜなら、これによって体部側面１０と被削材の側部加工面との隙間に、切削加工によって生じた切りくずが噛み込まれてしまう現象を大きく抑制することができるからである。それは次の理由による。本実施形態のような厚さの薄い切削インサート１による切削加工では、特許文献１の切削インサートを用いた切削加工と比較して、サイズが小さい切りくずが発生する。一方、切削インサート１は、前述したように、逃げ角を確保するためにアキシャルレーキ及びラジアルレーキが付けられて配置されている。すなわち、切削インサート１は、工具ボデー２１の端面２２及び外周面２３に対して一定の角度で傾斜する位置関係で配置されている。そのため、作用切れ刃１６の工具回転方向Ｋ前方に位置している体部上面８と体部側面１０との交差稜線部分と、被削材の側部加工面と、の間には、非常に狭い「くさび形状」をした隙間が必然的に生じる。このくさび形状の隙間は前述したように狭いため、切りくずが大きい場合にはそこに侵入する可能性は低い。ところが、本実施形態の切削インサート１によって生じる小さな切りくずは、その隙間に侵入して、くさび形状の最も狭くなっている部分に噛み込まれてしまう可能性がある。このように、切りくずが切削インサートと被削材の間に噛み込まれると、被削材の表面が切りくずによって傷つけられるおそれがある。これに対し、体部上面８と体部側面１０との交差稜線部分に凹部１７を設けると、その交差稜線部分と、被削材の側部加工面と、の間が広くなり、くさび形状の最も狭くなっている部分でさえも、切りくずが噛み込まれない程度の大きさになる。すなわち、切削インサート１と被削材との隙間を大きくすることによって、切りくずがその隙間に入り込んでも、噛み込まれることなく外部に離脱しやすいように構成されている。このように、凹部１７を設けることで小さな切りくずの噛み込みを抑制することができるので、被削材表面の面粗さが向上する。
【００３３】
前述した実施形態及びその変形例等では本発明をある程度の具体性をもって説明したが、本発明は、以上に説明した実施形態に限定されるものではない。本発明については、特許請求の範囲に記載された発明の精神や範囲から離れることなしに、さまざまな改変や変更が可能であることは理解されなければならない。すなわち、本発明には、特許請求の範囲によって規定される本発明の思想に包含されるあらゆる変形例や応用例、均等物が含まれる。
【符号の説明】
【００３４】
１  切削インサート
２  上面
３  下面
４  周側面
５  取付穴
６  インサート体部
７  突出部
８  体部上面
９  体部下面
１０  体部側面
１１  突出部上面
１２  突出部下面
１３  突出部側面
１４  突出部側端面
１５  コーナＲ面（コーナ湾曲面）
１６  切れ刃
１７  凹部
１８  突出部の段差側面
２０  切削工具
２１  工具ボデー
２２  端面
２３  外周面
２４  ボア穴
２５  切りくずポケット
２６  インサート取付座
２７ａ  第１底面
２７ｂ  第２底面
２８ａ  第１壁面
２８ｂ  第２壁面
２９  取付ねじ
３０  ねじ穴
３１  インサート取付座の段差側面
【図１】
2016187836.tif 000003
【図２】
2016187836.tif 000004
【図３】
2016187836.tif 000005
【図４】
2016187836.tif 000006
【図５】
2016187836.tif 000007
【図６】
2016187836.tif 000008
【図７】
2016187836.tif 000009
【図８】
2016187836.tif 000010